(57)【要約】【課題】広い範囲を、効率良く一気に掻くことのできる孫の手の提供。【解決手段】脈状凸部１を多数設けることで波板状掻き部２を形成し、波板状掻き部２を皮膚に押し当て、左右に動かして擦ることで広い範囲を効率良く掻くことができる。脈状凸部１は左右方向と上下方向のどちらでも掻くことができるように、長手方向に対し斜め向きに設ける。湾曲掻き部３は一ヶ所を集中的に掻くために設けてある。【選択図】図１
0003158879.tif 000002
【実用新案登録請求の範囲】
【請求項１】
棒状体の表面に幾筋かの脈状凸部を設けることにより、波板状掻き部を形成することを特徴とする波板状孫の手。
【請求項２】
棒状体の長手方向の一端を湾曲させ、湾曲掻き部を形成することを特徴とする請求項１に記載の波板状孫の手。
【考案の詳細な説明】
【技術分野】
【０００１】  本考案は、背中や皮膚を掻くための用具であるいわゆる孫の手に関するものである。
【背景技術】
【０００２】  従来の孫の手は、棒の一端を手首の形に湾曲させて掻き部とするのが一般的であった。その他に、掻き部がブラシ状のもの（特開２００３−１８０７７０号）、多数の突起からなるもの（一例として特開平１１−１０４１９６号）、及びコイル状のワイヤで形成されたもの（実用新案登録第３１２７２５３号）が提案されている。
【先行技術文献】
【特許文献】
【０００３】
【特許文献１】  特開平１１−１０４１９６号
【特許文献２】  特開２００３−１８０７７０号
【特許文献３】  特開２００５−２２４５１０号
【特許文献４】  実用新案登録第３１２７２５３号
【考案の概要】
【考案が解決しようとする課題】
【０００４】  従来の、棒の一端を手首の形に湾曲させて掻き部とする孫の手については、掻き部の先端のみが皮膚に接し、該先端を上下に動かすことで皮膚を掻いていたが、皮膚の痒い範囲が広い場合には、掻き部を上下に動かす距離が長くなるため、腕や手が疲れやすいという欠点がある。【０００５】  掻き部がブラシ状のもの、及び多数の突起からなるものについては、ブラシ状部の植毛間、及び突起間に隙間ができるため、十分な掻き心地が得られないという欠点がある。【０００６】  掻き部がコイル状のワイヤで形成されたものについては、ワイヤの表面が丸みを帯びているため、十分な掻き心地が得られず、また製造コストが高くなるという欠点がある。
【課題を解決するための手段】
【０００７】  請求項１に記載の考案は、棒状体の表面に脈状凸部を幾筋か設けることで波板状掻き部を形成し、該波板状掻き部を皮膚に押し当てて擦ることで皮膚を掻くための掻き部とする波板状孫の手であることを要旨とする。【０００８】  請求項２に記載の考案は、棒状体の長手方向の一端を湾曲させ、湾曲掻き部を形成する従来からの一般的な孫の手と、請求項１に記載の波板状孫の手の両方の機能を併せ持たせた孫の手であることを要旨とする。
【考案の効果】
【０００９】  請求項１に記載の考案によれば、波板状掻き部が脈状凸部、即ち連続する筋状の凸部により形成されるため凸部に隙間がなく、従って十分な掻き心地が得られる。【００１０】  請求項１に記載の考案によれば、棒状体の表面に脈状凸部が幾筋か設けられ、これら複数の脈状凸部により、波板状掻き部を動かす距離を小さくしても広い範囲を効率的に掻くことができるようになり、腕や手への負担が軽くなる。【００１１】  請求項２に記載の考案によれば、棒状体の長手方向の一端を湾曲させ湾曲掻き部を形成する従来からの一般的な孫の手と、請求項１に記載の波板状孫の手の両方の機能を併せ持つ孫の手が提案されるが、ピンポイントで掻きたい場合には湾曲掻き部の側で掻き、広い範囲を掻きたい場合には波板状掻き部の側で掻くという使い分けを行うことができる。
【図面の簡単な説明】
【００１２】
【図１】本考案の第１実施形態を示す波板状孫の手の斜視図。
【図２】本考案の第１実施形態を示す波板状孫の手の平面図。
【図３】本考案の第１実施形態を示す波板状孫の手の側面図。
【図４】図２のＡ−Ａ線拡大断面図。
【図５】本考案の第２実施形態を示す波板状孫の手の平面図。
【図６】図５の湾曲掻き部付近Ｂ−Ｂ線拡大断面図。
【図７】図５のＣ−Ｃ線拡大断面図。
【考案を実施するための形態】
【００１３】  以下、図面を参照し、好ましい実施形態について本考案を説明する。
【実施例１】
【００１４】  図１、図２、図３、及び図４には、本考案の第１実施形態を示す。図１は本考案の波板状孫の手１０の斜視図、図２は平面図、図３は側面図、図４は図２のＡ−Ａ線拡大断面図である。この実施形態の波板状孫の手１０は脈状凸部１、波板状掻き部２、及び湾曲掻き部３を備えている。【００１５】  第１実施形態の波板状孫の手１０においては、図１に示すように平板形の棒状体の表裏２面に直線状の脈状凸部１が多数設けられて形成される波板状掻き部２が設けられ、該棒状体の長手方向一端に湾曲掻き部３が設けられている。【００１６】  脈状凸部１は凸部が脈状、即ち凸部が連続する筋状になっている。【００１７】  第１実施形態の波板状孫の手１０における脈状凸部１の断面形状は三角形となっている。ただし、皮膚を適度に刺激することのできる断面形状であれば、他の形状であってもかまわない。【００１８】  脈状凸部１は図２に示すように波板状孫の手１０の長手方向に対し３０度の角度で設けられている。【００１９】  背中の広い範囲が痒い場合には、脈状凸部１が多数設けられて形成される波板状掻き部２を用いて掻くことで、多数の脈状凸部１が皮膚を擦ることとなり、湾曲状の掻き部を持つ従来からの一般的な孫の手と比べ、波板状掻き部２を動かす距離を小さくして広い範囲を効率良く掻くことができる。【００２０】  この場合、波板状掻き部２の側を下方にして、湾曲掻き部３の付近を手で持ち、波板状掻き部２を皮膚に擦り当てるように用いる。【００２１】  波板状掻き部２を皮膚に擦り当てる時、湾曲掻き部３の付近を手で持つが、波板状掻き部２を、湾曲掻き部３付近を中心とする円弧状に動かすことで、波板状掻き部２を上下方向に動かす場合よりもより広い範囲を掻くことができる。【００２２】  第１実施形態の波板状孫の手１０においては、長手方向に対する脈状凸部１のなす角度が直角ではないが、これは前記のように波板状掻き部２を円弧状に動かして用いる場合と上下方向に動かして用いる場合のどちらの場合にも背中を掻くことができるようにするためである。ただし、長手方向に対する脈状凸部１のなす角度は任意であり、皮膚に適度な刺激を与えることのできる角度とする。【００２３】  第１実施形態の波板状孫の手１０においては、棒状体の表裏２面に脈状凸部１から成る波板状掻き部２が設けられている。これは、もしどちらか片方の面にしか波板状掻き部２が設けられていないとした場合に、波板状掻き部２のある面を確認してから背中に当てなければならず、この手間を省くためである。ただし、片方の面だけに波板状掻き部２を設けるものであってもかまわない。【００２４】  波板状掻き部２に脈状凸部１をどの程度の本数を設けるかについては、隣り合う脈状凸部１の間隔が狭く、脈状凸部１の断面の高さが高く、且つ脈状凸部１の断面の先端が鋭いほどより強く背中を掻くことができるため、これらの要素の組み合わせで、適度に皮膚を刺激できるものとする。第１実施形態の波板状孫の手１０においては、棒状体の表裏２面に脈状凸部１から成る波板状掻き部２が設けられているが、該要素の組み合わせを表裏２面で異なるものとし、強く掻くことのできる面と、ソフトに掻くことのできる面を作ることも可能である。【００２５��  第１実施形態の波板状孫の手１０においては、波板状掻き部２が設けられている棒状体の表面は平面であるが、該表面の断面における形状を波板状孫の手１０の断面中心から外側方向に膨らんだ弓形の形状としてもよい。【００２６】  背中のある一ヶ所がピンポイントで痒い場合には、湾曲掻き部３を用いて掻くことで一ヶ所を集中的に掻くことができる。この場合、波板状掻き部２付近を手で持ち、湾曲掻き部３を皮膚に上下方向に擦り当てて用いる。【００２７】  波板状孫の手１０の素材としてはポリプロピレンなどの強度の高い合成樹脂が望ましいが、木製、竹製、又は金属製であってもかまわない。【００２８】  製造方法としては、ポリプロピレンなどの合成樹脂製の場合には金型による成型が考えられる。木製又は竹製の場合には、脈状凸部１については表面を削ることで、湾曲掻き部３については削り出し又は火であぶって曲げるなどすることで作製することが考えられる。金属製の場合にはプレス加工、切削加工、鋳造などが挙げられる。
【実施例２】
【００２９】  図５、図６、及び図７には、本考案の第２実施形態を示す。図５は本考案の波板状孫の手２０の平面図、図６は図５の湾曲掻き部付近Ｂ−Ｂ線拡大断面図、図７は図５のＣ−Ｃ線拡大断面図である。この実施形態の波板状孫の手２０は脈状凸部１、波板状掻き部２、及び湾曲掻き部３を備えている。【００３０】  第２実施形態の波板状孫の手２０においては、円柱形の棒状体表面に螺旋状の脈状凸部１から成る波板状掻き部２が設けられ、該棒状体の長手方向一端に湾曲掻き部３が設けられている。【００３１】  第２実施形態の波板状孫の手２０においては、螺旋状の脈状凸部１は２本設けられているが、この本数は任意である。【００３２】  第２実施形態の波板状孫の手２０においては、図７に示すように波板状掻き部２の断面形状が円形であり該断面の３６０度ぐるりに脈状凸部１があるため、波板状掻き部２を用いて背中を掻くときに、波板状掻き部２を手で回転させながら掻いても、どの方向であっても掻くことができるという利点がある。【００３３】  第２実施形態の波板状孫の手２０においては、波板状掻き部２の断面形状は円形であるが、該断面形状を楕円形とすることも考えられる。【００３４】  その他の点については、第１実施形態における波板状孫の手１０と同様である。
【その他の実施例】
【００３５】  第１実施形態の波板状孫の手１０においては、脈状凸部１は直線状であったが、これを曲線とした形態も考えられる。
【００３６】  第１実施形態、及び第２実施形態においては棒状体が真直ぐであったが、曲がった形状の棒状体としてもよい。
【符号の説明】
【００３７】  １：脈状凸部
２：波板状掻き部
３：湾曲掻き部
１０、２０：波板状孫の手
【図１】
0003158879.tif 000003
【図２】
0003158879.tif 000004
【図３】
0003158879.tif 000005
【図４】
0003158879.tif 000006
【図５】
0003158879.tif 000007
【図６】
0003158879.tif 000008
【図７】
0003158879.tif 000009